(57)【特許請求の範囲】
【請求項１】
密閉ケース内に、回転軸を介して連結される電動機部と圧縮機構部を収容する多気筒回転式圧縮機において、
上記圧縮機構部は、
中間仕切り板を介在して設けられ、それぞれの内径部に低圧ガスが導入されるシリンダ室が形成されるとともに、これらシリンダ室にブレード溝を介して連通するブレード背室が設けられる第１のシリンダおよび第２のシリンダと、これら第１のシリンダと第２のシリンダの端面に設けられ上記中間仕切り板とともに上記シリンダ室を閉塞する軸受と、上記第１のシリンダと第２のシリンダにおけるそれぞれのシリンダ室に収容される偏心部を有する上記回転軸と、この回転軸の偏心部に嵌合され回転軸の回転にともなって上記シリンダ室内でそれぞれ偏心移動するローラと、上記ブレード溝に移動自在に収容され、上記ローラ周壁に先端部が当接した状態でシリンダ室を二室に区画するブレードと、
上記第１のシリンダと第２のシリンダに設けられるブレード背室のうちの、一方のブレード背室に対してシリンダの端面側から開口する開口部を有する背圧導入通路と、
この背圧導入通路を介して上記一方のブレード背室へ高圧もしくは低圧を導き、高圧を導いた状態でブレード後端部に高圧の背圧を付与しブレード先端部をローラ周壁に接触させてシリンダ室で圧縮運転を行わせる、もしくは低圧を導いた状態でブレード先端部をローラ周壁から離間させてシリンダ室での圧縮運転を停止する休筒運転状態とする圧力切換え手段と、を具備し、
上記背圧導入通路の上記回転軸から遠い方の外側開口角部は、休筒運転状態で位置するブレード後端部の端面角部よりも外周側に位置する
ことを特徴とする多気筒回転式圧縮機。
【請求項２】
さらに、上記一方のブレード背室の上部に、このブレード背室に対して開口する開口部を有し、背圧導入通路からブレード背室に導かれたガス分を滞留する第１のバッファ用凹部空間を備え、
この第１のバッファ用凹部空間の上記回転軸から遠い方の外側開口角部は、休筒運転状態で位置するブレード後端部の端面角部よりも外周側に位置する
ことを特徴とする請求項１記載の多気筒回転式圧縮機。
【請求項３】
上記背圧導入通路の上部に、背圧導入通路と連通して設けられ、背圧導入通路に導かれるガス分を滞留する第２のバッファ用凹部空間を備えた
ことを特徴とする請求項１および請求項２のいずれかに記載の多気筒回転式圧縮機。
【請求項４】
上記第１のバッファ用凹部空間と、第２のバッファ用凹部空間における、それぞれの空間容積は、上記ブレードがシリンダ室内に最も突出する下死点からシリンダ室内から最も後退する上死点まで移動するときの押し退け容量以上に設定される
ことを特徴とする請求項２および請求項３のいずれかに記載の多気筒回転式圧縮機。
【請求項５】
上記ブレード背室に、休筒運転状態でブレード後端部を磁気吸着する永久磁石と、この永久磁石をブレード背室に保持する保持部材を備えており、
上記永久磁石あるいは上記保持部材の少なくとも一方は、第１のシリンダもしくは第２のシリンダの端面に設けられる中間仕切り板と、軸受もしくは軸受側部材によって軸方向の動きが規制されるよう組立てられる
ことを特徴とする請求項１ないし請求項４のいずれかに記載の多気筒回転式圧縮機。
【請求項６】
請求項１ないし請求項５のいずれかに記載の多気筒回転式圧縮機と、凝縮器と、膨張装置と、蒸発器を備えて冷凍サイクルを構成する
ことを特徴とする冷凍サイクル装置。
【発明の詳細な説明】
【技術分野】
【０００１】
本発明の実施形態は、多気筒回転式圧縮機と、この多気筒回転式圧縮機を備えて冷凍サイクルを構成する冷凍サイクル装置に関する。
【背景技術】
【０００２】
冷凍サイクル装置では、圧縮機構部に複数のシリンダ室を備えた多気筒回転式圧縮機が多用される。この種の圧縮機において、複数のシリンダ室で同時に圧縮作用を行う全能力運転と、一方のシリンダ室で圧縮作用をなし、他方のシリンダ室では圧縮作用を停止して、圧縮仕事を低減する能力半減運転との切換えができれば有利である。
【０００３】
［特許文献１］に開示される多気筒圧縮機の圧縮機構部は、一方のブレードの先端部をローラ周面から離間させて、一方のシリンダ室における圧縮運転の休止を可能とする休筒機構を備えている。上記休筒機構を機能させなければ、両方のシリンダ室で圧縮運転がなされる、全能力運転となる。
【先行技術文献】
【特許文献】
【０００４】
【特許文献１】特開２０１０−１６３９２７号公報
【発明の概要】
【発明が解決しようとする課題】
【０００５】
上記［特許文献１］における休筒機構は圧力導入通路を備え、ブレードの後端部を移動自在に収容するブレード背室にシリンダ端面側から高圧ガスもしくは低圧ガスを導くようになっている。すなわち、上記圧力導入通路はシリンダ端面を覆う中間仕切り板に設けられ、ブレード背室に対向する開口部の全てがブレードの移動する範囲に位置している。
【０００６】
その一方で、ブレードの高さ方向には所定のクリアランスが存在していて、ブレードは往復動作にともなって高さ方向に斜めに傾く可能性がある。なんらかの条件でブレードがブレードの高さ方向に傾けば、ブレード後端部の端面角部が圧力導入路の開口部の角部に衝突して騒音の発生があり、往復動作がロックする虞れもある。
【０００７】
本実施形態が解決しようとする課題は、複数のシリンダを備えて圧縮能力可変をなす前提で、どのような運転状況にあっても、ブレード後端部による騒音の発生や、ブレードのロックを防止し、低騒音で信頼性の高い多気筒回転式圧縮機と、この多気筒回転式圧縮機を備えて冷凍サイクル効率の向上化を得る冷凍サイクル装置を提供することにある。
【課題を解決するための手段】
【０００８】
本実施形態の多気筒回転式圧縮機は、密閉ケース内に回転軸を介して連結する電動機部と圧縮機構部を収容する。  
上記圧縮機構部は、中間仕切り板を介在して第１のシリンダおよび第２のシリンダを設ける。それぞれのシリンダの内径部に低圧ガスを導入するシリンダ室を形成し、これらシリンダ室にブレード溝を介して連通するブレード背室を設ける。第１、第２のシリンダの端面にはシリンダ室を閉塞する中間仕切り板と軸受を設ける。  
第１、第２のシリンダのシリンダ室に回転軸の偏心部を収容する。この偏心部にローラを嵌合し、回転軸の回転にともなってシリンダ室内で偏心移動させる。ブレード溝に、ブレードを移動自在に収容し、ローラ周壁にブレード先端部が当接した状態でシリンダ室を二室に区画する。  
第１のシリンダと第２のシリンダに設けられるブレード背室のうちの、一方のブレード背室に対してシリンダの端面側から開口する開口部を有する背圧導入通路を備える。  
この背圧導入通路を介して一方のブレード背室へ高圧もしくは低圧を導き、高圧を導いた状態でブレード後端部に高圧の背圧を付与しブレード先端部をローラ周壁に接触させてシリンダ室で圧縮運転を行わせる、もしくは低圧を導いた状態でブレード先端部をローラ周壁から離間させてシリンダ室での圧縮運転を停止する休筒運転状態とする圧力切換え手段を備える。  
背圧導入通路の上記回転軸から遠い方の外側開口角部は、休筒運転状態で位置するブレード後端部の端面角部よりも外周側に位置する。  
本実施形態の冷凍サイクル装置は、上記記載の多気筒回転式圧縮機と、凝縮器と、膨張装置と、蒸発器を備えて冷凍サイクルを構成する。
【図面の簡単な説明】
【０００９】
【図１】本実施形態に係る、多気筒回転式圧縮機の概略の縦断面図。
【図２】同実施形態に係る、多気筒回転式圧縮機の要部を分解した斜視図。
【図３】同実施形態に係る、多気筒回転式圧縮機の要部を拡大した縦断面図。
【図４】同実施形態に係る、多気筒回転式圧縮機要部の横断平面図。
【図５】同実施形態に係る、多気筒回転式圧縮機を備えた冷凍サイクル装置の冷凍サイクル構成図。
【発明を実施するための形態】
【００１０】
以下、本実施形態を図面にもとづいて説明する。  
図１は、本実施形態に係る、多気筒回転式圧縮機Ｍの概略の縦断面図である。  
図中１は密閉ケースであって、この密閉ケース１内の下部には圧縮機構部３が設けられ、上部には電動機部４が設けられる。上記電動機部４と圧縮機構部３は、回転軸５を介して一体に連結される。
【００１１】
上記圧縮機構部３は、上部側に第１のシリンダ６Ａを備え、下部側に第２のシリンダ６Ｂを備えている。第１のシリンダ６Ａの上端面に主軸受７Ａが取付け固定され、第２のシリンダ６Ｂの下端面に副軸受７Ｂが取付け固定される。これら第１のシリンダ６Ａと第２のシリンダ６Ｂとの間には中間仕切り板２が介在される。
【００１２】
上記回転軸５は、各シリンダ６Ａ、６Ｂ内部を貫通し、略１８０°の位相差で同一直径の第１の偏心部５ａと第２の偏心部５ｂを一体に備える。各偏心部５ａ、５ｂはシリンダ６Ａ、６Ｂの内径部に位置するように組立てられる。第１の偏心部５ａの周面に第１のローラ９ａが嵌合され、第２の偏心部５ｂの周面に第２のローラ９ｂが嵌合される。
【００１３】
上記第１のシリンダ６Ａの内径部は、主軸受７Ａと中間仕切り板２によって閉塞され、第１のシリンダ室Ｓａが形成される。上記第２のシリンダ６Ｂの内径部は、中間仕切り板２と副軸受７Ｂによって閉塞され、第２のシリンダ室Ｓｂが形成される。
【００１４】
第１のシリンダ室Ｓａと第２のシリンダ室Ｓｂは、互いに同一直径および高さ寸法に設計される。上記第１、第２のローラ９ａ、９ｂの周壁一部が、第１、第２のシリンダ室Ｓａ、Ｓｂの周壁一部に潤滑油膜を介して線接触しながら偏心移動自在になるように、それぞれのローラ９ａ、９ｂがシリンダ室Ｓａ，Ｓｂに収容される。
【００１５】
上記主軸受７Ａには二重に重ねられた吐出マフラ８ａが取付けられ、主軸受７Ａに設けられる吐出弁機構を覆っている。いずれの吐出マフラ８ａにも吐出孔が設けられる。上記副軸受７Ｂには一重の吐出マフラ８ｂが取付けられ、副軸受７Ｂに設けられる吐出弁機構を覆う。この吐出マフラ８ｂには吐出孔が設けられていない。
【００１６】
主軸受７Ａの吐出弁機構は第１のシリンダ室Ｓａに対向し、圧縮作用にともない室内が所定圧力に上昇したとき開放して、圧縮ガスを吐出マフラ８ａ内に吐出させる。副軸受７Ｂの吐出弁機構は第２のシリンダ室Ｓｂに対向し、圧縮作用にともない室内圧力が所定圧力に上昇したとき開放して、圧縮ガスを吐出マフラ８ｂ内に吐出させる。
【００１７】
副軸受７Ｂと、第２のシリンダ６Ｂと、中間仕切り板２と、第１のシリンダ６Ａおよび主軸受７Ａとに亘って吐出ガス案内路が設けられる。この吐出ガス案内路は、第２のシリンダ室Ｓｂから吐出弁機構を介して下部側吐出マフラ８ｂに吐出された高圧ガスを、上部側の二重吐出マフラ８ａ内に案内する。
【００１８】
上記密閉ケース１の内底部には、潤滑油を集溜する油溜り部１４が形成される。図１において、上記主軸受７Ａのフランジ部を横切る実線は潤滑油の油面を示していて、圧縮機構部３のほとんど全部が上記油溜り部１４の潤滑油中に浸漬される。回転軸５の下端面と圧縮機構部３の各摺動部に亘って、潤滑油を給油するための給油通路が設けられる。
【００１９】
図２は、同実施形態に係る、上記圧縮機構部３の一部を分解して示す斜視図であり、要部のみ示し、詳細は省略している。  
第１のシリンダ６Ａには、内径部である第１のシリンダ室Ｓａにブレード溝１０ａが連設され、さらにブレード溝１０ａから第１のブレード背室１１ａが設けられる。上記ブレード溝１０ａには第１のブレード１２ａが移動自在に収容され、その先端部は第２のシリンダ室Ｓａに、後端部は第１のブレード背室１１ａに突没自在である。
【００２０】
第２のシリンダ６Ｂには、内径部である第２のシリンダ室Ｓｂにブレード溝１０ｂが連設され、さらにブレード溝１０ｂから第２のブレード背室１１ｂが設けられる。上記ブレード溝１０ｂには第２のブレード１２ｂが移動自在に収容され、その先端部は第２のシリンダ室Ｓｂに、後端部は第２のブレード背室１１ｂに突没自在である。
【００２１】
第１、第２のブレード１２ａ、１２ｂそれぞれの先端部は平面視で略円弧状に形成されており、これら先端部が対向する第１、第２のシリンダ室Ｓａ、Ｓｂに突出した状態で、平面視で円形状の図１に示す上記第１、第２のローラ９ａ、９ｂ周壁に、これらの回転角度にかかわらず線接触するようになっている。
【００２２】
上記第１のシリンダ６Ａには、第１のブレード背室１１ａと、このシリンダ６Ａの外周面とを連通する横孔ｆが設けられ、ばね部材１３が収容される。ばね部材１３は第１のブレード１２ａの後端部端面と密閉ケース１内周壁との間に介在され、第１のブレード１２ａに弾性力（背圧）を付与する。
【００２３】
なお、第２のブレード１２ｂにおいては、後端部端面と密閉ケース１内周壁との間に介在する部材は存在しない。後述するように、先端部が第２のシリダ室Ｓｂの圧力影響を受け、後端部が第２のブレード背室１１ｂの圧力影響を受け、先端部と後端部が受ける圧力の差圧によって背圧が付与され、もしくは付与されない。
【００２４】
図３は、図１におけるＡ部を拡大して示す、圧縮機構部３要部である第２のブレード背室１１ｂと周辺部を拡大した縦断面図である。図４は、中間仕切り板２を取外した状態で要部である第２のブレード背室１１ｂ部分を示す平面図である。
【００２５】
はじめに、図４から説明すると、第２のブレード背室１１ｂには保持部材１６を介して永久磁石１７が取付けられる。永久磁石１７の磁気力は、第２のブレード１２ｂの後端部が保持部材１６に接触したとき、もしくは極く近傍位置に移動したところで、第２のブレード１２ｂ後端部を磁気吸着できる程度である。
【００２６】
上記永久磁石１７は希土類磁石であって、小容積で大きな磁力を得られ、スペース効率の向上が得られる。上記保持部材１６は非磁性体である、オーステナイト系のステンレス剤を板金加工して形成される。磁力がリークすることなく永久磁石１７から第２のブレード１２ｂに効率良く伝わり、磁気吸着力の低下を防止し、剛性が高く、製造性が良い。
【００２７】
上記第２のブレード背室１１ｂは、ブレード溝１０ｂに連設される大径の第１の孔部ａと、この第１の孔部ａに連設され小径で半円状の第２の孔部ｂとからなる。保持部材１６は永久磁石１７の上下左右端面を保持する爪部と、爪部とは反対側に一体に延設される２つの曲成部ｄからなる。曲成部ｄの曲率半径は、第１の孔部ａよりも大となっている。
【００２８】
永久磁石１７を保持部材１６の爪部に保持し、両曲成部ｄを互いに接する方向に弾性変形させ、第１の孔部ａと第２の孔部ｂに挿入する。挿入後、曲成部ｄへの弾性力を除去すれば、永久磁石１７と保持部材１６の爪部を第２の孔部ｂに挿入でき、保持部材１６の曲成部ｄを第１の孔部ａの周壁に弾性的に密着させて永久磁石１７の位置決めができる。
【００２９】
つぎに、図３と図１から説明する。  
第２のシリンダ６Ｂにおける第２のブレード背室１１ｂの上面開口部は、第２のシリンダ６Ｂの上端面に取付けられる中間仕切り板２によって閉塞される。しかしながら、第２のブレード背室１１ｂの下面開口部は、副軸受７Ｂのフランジ部周端面から外方へ突出した位置に設けられ、そのままでは下面開口部が密閉ケース１内に開口してしまう。
【００３０】
そこで、第２のブレード背室１１ｂの下面開口部は、副軸受７Ｂのフランジ部外周壁一部に沿って取付けられる閉塞部材（軸受側部材）１８によって閉塞される。すなわち、第２のブレード背室１１ｂの上下面開口部は、中間仕切り板２と閉塞部材１８とで閉塞され、密閉構造をなす。
【００３１】
上記閉塞部材１８は、鋳鉄材で形成されるもしくは、ＳＭＦ３種（鉄−炭素系焼結合金）もしくは、ＳＭＦ４種（鉄−炭素−銅系焼結合金）で形成されていて、いずれも複雑な内部構造を金型成形により確実に製造できる素材が選択される。
【００３２】
上記閉塞部材１８の副軸受７Ｂのフランジ部周端面に沿う端面とは、対向する端面から中途部まで穴部ｇが設けられ、ここに圧力制御用配管１９が挿入し接続される。さらに穴部ｇの先端部は、第２のシリンダ６Ｂの端面側である閉塞部材１８の上端面側から第２のブレード背室１１ｂに開口する凹部ｈの下端部と交差し、連通するよう設けられる。
【００３３】
上記閉塞部材１８に設けられる穴部ｇと凹部ｈによって、圧力制御用配管１９は第２のブレード背室１１ｂに連通する。これら穴部ｇと凹部ｈで、背圧導入通路２０が構成される。すなわち、第２のブレード背室１１ｂは中間仕切り板２と閉塞部材１８によって閉塞され密閉構造となっているが、この下端面には背圧導入通路２０が連通する。
【００３４】
上記圧力制御用配管１９と背圧導入通路２０は、後述するブレード背圧制御機構（圧力切換え手段）Ｋの一部を構成している。このブレード背圧制御機構Ｋは、第２のブレード背室１１ｂに高圧ガス（吐出圧）もしくは低圧ガス（吸込み圧）を選択して導き、第２のブレード１２ｂの後端部に対する背圧の圧力切換えを制御するものである。
【００３５】
さらに、特に図３から、第２のブレード背室１１ｂと、その周辺部についての説明を続ける。（ただし、一部は図４からの引用につき、同図を参照）  
背圧導入通路２０を構成する凹部ｈは、上述した通り第２のブレード背室１１ｂの下端面に対して開口する。厳密には、凹部ｈのほとんど大部分は第２のブレード背室１１ｂを構成する上記第１の孔部ａと対向するが、残りの一部と回転軸５から遠い方の外側開口角部ｈａは、上記第２の孔部ｂと対向する。
【００３６】
したがって、凹部ｈの外側開口角部ｈａは、第２のブレード背室１１ｂに取付けられる永久磁石１７の直下部に位置する。第２のブレード１２ｂが永久磁石１７に磁気吸着された状態でも、凹部ｈの外側開口角部ｈａは第２のブレード１２ｂ後端部の下端面角部ｂｂよりも外周側に、ある程度の距離を存して位置することになる。
【００３７】
一方、第２のブレード背室１１ｂ上面開口部を閉塞する上記中間仕切り板２には第１のバッファ用凹部空間２１が設けられ、第２のブレード背室１１ｂに対して開口する。このバッファ用凹部空間２１も、背圧導入通路２０を構成する凹部ｈと同様、ほとんど大部分は第２のブレード背室１１ｂを構成する第１の孔部ａと対向する。
【００３８】
第１のバッファ用凹部空間２１の残り一部と、回転軸５から遠い方の外側開口角部２１ａは、第２の孔部ｂよりも外周側に位置する。第２のブレード１２ｂが永久磁石１７に磁気吸着されても、第２のブレード１２ｂ後端部の上端面角部ｂｃは、第１のバッファ用凹部空間２１の外側開口角部２１ａとある程度の距離を存している。
【００３９】
また、上記保持部材１６の両曲成部ｄの一部は、上記背圧導入通路２０を構成する凹部ｈおよび第１のバッファ用凹部空間２１とは対向しないようにして設けられている。したがって、上記永久磁石１７および保持部材１６は、上方への移動が中間仕切り板２によって規制され、下方への移動が閉塞部材１８によって規制される。  
なお、永久磁石１７の少なくとも一部が、上記凹部ｈおよび第１のバッファ用凹部空間２１とは対向しないようにして設け、上記中間仕切り板２および閉塞部材１８によって上下方向の移動が規制されるようにしても良い。
【００４０】
さらに、上記背圧導入通路２０と連通するように、第２のバッファ用凹部空間２２が設けられる。上記第２のバッファ用凹部空間２２は、第２のブレード背室１１ｂと第２のシリンダ６Ｂの外周壁との間に設けられ、下面が開口し、上面が第２のシリンダ６Ｂ上面とはある程度の肉厚を残した状態となっている。
【００４１】
背圧導入通路２０を構成する穴部ｇと、第２のバッファ用凹部空間２２との間に連通孔部２３が設けられ、実質的に背圧導入通路２０に対して第２のバッファ用凹部空間２２が開口する。連通孔部２３の一部に穴部ｇに挿入する圧力制御用配管１９の先端部が対向するが、完全閉塞されない限り第２のバッファ用凹部空間２２の作用効果に支障がない。
【００４２】
再び図１に示すように、多気筒回転式圧縮機Ｍを構成する密閉ケース１の上端部には、吐出用の冷媒管Ｐが接続される。この冷媒管Ｐは、後述するヒートポンプ式冷凍サイクルを構成する機器に順次連通し、密閉ケース１に取付け具を介して取付け固定されるアキュームレータ２５に接続される。
【００４３】
アキュームレータ２５と密閉ケース１とは吸込み用の冷媒管ＰＰを介して接続される。なお説明すると、冷媒管ＰＰは密閉ケース１を貫通して中間仕切り板２の周端面に接続される。中間仕切り板２においては、冷媒管ＰＰが接続される周面部位から軸芯方向に向って二股状に分岐する分岐案内路（図示しない）が設けられる。
【００４４】
一方の分岐案内路は第１のシリンダ室Ｓａに連通し、他方の分岐案内路は第２のシリンダ室Ｓｂに、それぞれ連通する。したがって、アキュームレータ２５と、多気筒回転式圧縮機Ｍにおける第１のシリンダ室Ｓａおよび第２のシリンダ室Ｓｂとは、常時、連通状態にある。
【００４５】
一方、上記圧力制御用配管１９は、密閉ケース１とアキュームレータ２５の上端部よりも上方位置まで延出され、この端部に後述する圧力切換え弁２７が設けられる。上記圧力切換え弁２７は、冷暖房運転の切換えが可能なヒートポンプ式冷凍サイクルを備えた空気調和機に用いられる四方切換え弁を流用して、コストの抑制を図る。
【００４６】
密閉ケース１の上端部に接続される冷媒管Ｐから第１の分岐管（高圧管）２８が分岐され、これは圧力切換え弁２７の第１のポートＰａに接続される。第２のポートＰｂには上記圧力制御用配管１９が接続され、第３のポートＰｃにはアキュームレータ２５の冷媒導入側の冷媒管Ｐから分岐される第２の分岐管（低圧管）２９が接続される。
【００４７】
第４のポートＰｄは、栓体３０で常時、閉塞される。内部に収容される弁体３１は、図に示すように第３のポートＰｃと第４のポートＰｄとを連通する位置と、二点鎖線で示すように第２のポートＰｂと第３のポートＰｃとを連通する位置に電磁的に切換え操作される。第１のポートＰａは常時開放され、第４のポートＰｄは常時閉塞される。
【００４８】
なお説明すると、図１の状態では第１のポートＰａと第２のポートＰｂとが直接連通し、弁体３１を介して第３のポートＰｃと第４のポートＰｄとが連通する。ただし、第４のポートｐｄは栓体３０で閉塞されているので、第１のポートＰａと第２のポートＰｂとの連通だけが残る。
【００４９】
図１に二点鎖線で示す位置に弁体３１が移動すると、弁体３１を介して第２のポートＰｂと第３のポートＰｃとが連通し、第１のポートＰａと第４のポートＰｄが直接連通する。同様に、第４のポートＰｄは栓体３０で閉塞されているので、第２のポートＰｂと第３のポートＰｃとの連通だけが残る。
【００５０】
上記圧力切換え弁２７は、通常のヒートポンプ式空気調和機を構成する冷凍サイクルに用いられる標準品である四方切換え弁を流用したが、この四方切換え弁に代って三方弁を使用し、もしくは複数の開閉弁を組合せても、同様の作用効果を得られる。
【００５１】
このようにブレード背圧制御機構Ｋは、圧力切換え弁２７と、圧力制御用配管１９と、第１の分岐管２８および第２の分岐管２９と、閉塞部材１８に設けられる背圧導入通路２０とから構成され、第２のブレード背室１１ｂに高圧と低圧を切換えて導き、第２のブレード１２ｂに背圧を付与することができる。
【００５２】
図５は、冷凍サイクル装置を空気調和機Ｒに適用した場合の、ヒートポンプ式冷凍サイクル構成図である。  
多気筒回転式圧縮機Ｍに接続される冷媒管Ｐに四方切換え弁５０が接続され、この四方切換え弁５０から室外熱交換器５１と、膨張装置５２と、室内熱交換器５３を介して四方切換え弁５０に接続される。さらに、四方切換え弁５０からアキュームレータ２５に接続され、アキュームレータ２５と多気筒回転式圧縮機Ｍは上述したように吸込み用の冷媒管ＰＰで連通される。
【００５３】
このような空気調和機Ｒにおいて冷房運転を選択すると、多気筒回転式圧縮機Ｍで後述するように圧縮され冷媒管Ｐへ吐出されるガス冷媒は、四方切換え弁５０から実線矢印に示すように、室外熱交換器５１に導かれ外気と熱交換して凝縮され液冷媒に変る。すなわち、室外熱交換器５１が凝縮器として作用する。
【００５４】
室外熱交換器５１から導出される液冷媒は、膨張装置５２に導かれて断熱膨張する。そして、室内熱交換器５３に導かれ、ここに送風される室内空気と熱交換して蒸発し、室内空気から蒸発潜熱を奪って室内の冷房作用をなす。すなわち、室内熱交換器５３が蒸発器となる。  
室内熱交換器５３から導出される蒸発冷媒は、四方切換え弁５０を介して多気筒回転式圧縮機Ｍに吸込まれ、上述したように圧縮されて冷凍サイクルを循環する。
【００５５】
暖房運転を選択すると四方切換え弁５０が切換り、多気筒回転式圧縮機Ｍから冷媒管Ｐへ吐出されるガス冷媒は、四方切換え弁５０を介して破線矢印に示すように室内熱交換器５３に導かれ、室内空気と熱交換して凝縮する。凝縮器となる室内熱交換器５３の凝縮熱を室内空気が吸収することで温度上昇し、室内の暖房作用を得る。
【００５６】
室内熱交換器５３から導出される液冷媒は膨張装置５２に導かれ、断熱膨張して室外熱交換器５１に導かれて蒸発する。蒸発器である室外熱交換器５１から導出される蒸発冷媒は、四方切換え弁５０から多気筒回転式圧縮機Ｍに吸込まれ、上述したように圧縮されて冷凍サイクルを循環する。
【００５７】
この空気調和機Ｒにおいては、上述の冷房運転と暖房運転のそれぞれにおいて、能力半減運転（休筒運転）と、全能力運転（通常運転）との切換え選択が可能である。  
たとえば冷房運転時に能力半減運転を選択すると、上述した冷房運転時の冷凍サイクルが構成されるとともに、ブレード背圧制御機構Ｋを構成する圧力切換え弁２７の弁体３１が切換えられる。すなわち圧力切換え弁２７は、図１に二点鎖線で示すように、第２のポートＰｂと第３のポートＰｃが連通するように制御される。
【００５８】
したがって、室内熱交換器５３から四方切換え弁５０を介してアキュームレータ２５に連通する冷媒管Ｐと、第２の分岐管２９と、圧力切換え弁２７と、圧力制御用配管１９、背圧導入通路２０および第２のブレード背室１１ｂが連通状態になる。
【００５９】
同時に、電動機部４に運転信号が送られ、回転軸５が回転駆動される。回転軸５の回転にともない、第１、第２のローラ９ａ、９ｂはそれぞれのシリンダ室Ｓａ、Ｓｂ内で偏心移動する。第１のシリンダ６Ａにおいては、第１のブレード１２ａがばね部材１３に押圧付勢され、先端部がローラ９ａ周壁に摺接して第１のシリンダ室Ｓａ内を二分する。
【００６０】
室内熱交換器５３で蒸発した低圧の冷媒ガスが、アキュームレータ２５から吸込み側の冷媒管Ｐａに導かれ、多気筒回転式圧縮機Ｍの中間仕切り板２に設けられる２つの分岐案内路に案内される。そして、それぞれの分岐案内路から第１のシリンダ室Ｓａと第２のシリンダ室Ｓｂに吸込まれる。
【００６１】
さらに、ブレード背圧制御機構Ｋを構成する圧力切換え弁２７の上述した切換え操作により、室内熱交換器５３から導出される低圧のガス冷媒の一部が、冷媒管Ｐから第２の分岐管２９と、圧力切換え弁２７と、圧力制御用配管１９と、閉塞部材１８に設けられる背圧導入通路２０を介して第２のブレード背室１１ｂに導かれる。
【００６２】
第２のブレード背室１１ｂに充満する低圧のガス冷媒は、第２のブレード１２ｂの後端部に低圧の背圧を付与する。第２のシリンダ室Ｓｂに対向する第２のブレード１２ｂ先端部が低圧雰囲気下にあり、第２のブレード背室１１ｂに対向する第２のブレード１２ｂ後端部も低圧雰囲気下にあるので、ブレード１２ｂの先端部と後端部で差圧が生じない。
【００６３】
回転軸５の回転により第２のローラ９ｂが偏心移動してくると、第２のブレード１２ｂ先端部はローラ９ｂに蹴られて後退する。第２のブレード１２ｂの後端部が第２のブレード背室１１ｂに取付けられる保持部材１６に接触または近接し、永久磁石１７の磁気力が保持部材１６を介して第２のブレード１２ｂに作用し、ブレードを磁気吸着する。
【００６４】
したがって、第２のブレード１２ｂの先端部がシリンダ室Ｓｂ内へは突出せず、そのままの位置を保持する。回転軸５の偏心部５ｂに嵌合する第２のローラ９ｂは空回りを継続し、第２のシリンダ室Ｓｂおいて圧縮作用が行われない。すなわち、第２のシリンダ室Ｓｂでは休筒運転状態となる。
【００６５】
一方、第１のシリンダ室Ｓａにおいては、第１のブレード１２ａがばね部材１３の弾性力を受ける。ブレード１２ａ先端部は第１のローラ９ａの周壁に当接し、第１のシリンダ室Ｓａを圧縮室と吸込み室の二室に区画する。ローラ９ａの偏心移動にともなって圧縮室側の容積が減少していき、吸込まれたガスが徐々に圧縮されて高圧化する。
【００６６】
所定圧まで上昇して高圧化すると、吐出弁機構が開放して高圧化したガスが吐出マフラ８ａ，８ｂへ吐出される。さらに密閉ケース１内に導かれて、ここに充満する。密閉ケース１内の充満した高圧のガス冷媒は冷媒管Ｐへ吐出され、上述したような冷凍サイクルを構成して室内の冷房作用をなす。  
結局、第２のシリンダ室Ｓｂにおいて圧縮作用が行われない休筒運転状態を継続し、第１のシリンダ室Ｓａにおいてのみ圧縮運転をなす、能力半減運転となる。
【００６７】
全能力運転を選択すると、圧力切換え弁２７の弁体３１が図１の実線位置に切換えられ、第１のポートＰａと第２のポートＰｂが連通する。したがって、密閉ケース１に接続する吐出側の冷媒管Ｐと、第１の分岐管２８と、圧力切換え弁２７と、圧力制御用配管１９と、閉塞部材１８の背圧導入通路２０および第２のブレード背室１１ｂが連通される。
【００６８】
同時に、電動機部４に運転信号が送られ、回転軸５が回転駆動されて、第１、第２のローラ９ａ、９ｂはそれぞれのシリンダ室Ｓａ、Ｓｂ内で偏心運動を行う。第１のシリンダ６Ａで第１のブレード１２ａはばね部材１３に押圧付勢され、先端部がローラ９ａ周壁に摺接して第１のシリンダ室Ｓａ内を二分する。
【００６９】
室内熱交換器５３で蒸発した低圧のガス冷媒がアキュームレータ２５から吸込み側の冷媒管Ｐａに導かれ、分岐案内路を介して第１のシリンダ室Ｓａと第２のシリンダ室Ｓｂに吸込まれる。第１のシリンダ室Ｓａにおいては、上述したように圧縮作用が行われて高圧化したガス冷媒が密閉ケース１内に充満している。
【００７０】
ガス冷媒は密閉ケース１から吐出側の冷媒管Ｐへ導かれ、上述した冷凍サイクルを循環する。一部のガス冷媒は冷媒管Ｐから第１の分岐管２８に分流され、圧力切換え弁２７、圧力制御用配管１９、閉塞部材１８の背圧導入通路２０から第２のブレード背室１１ｂに導入される。
【００７１】
第２のブレード背室１１ｂに導かれる高圧のガス冷媒により、第２のブレード１２ｂ後端部が高圧の背圧を受ける。一方、第２のブレード１２ｂ先端部が第２のシリンダ室Ｓｂに対向し低圧雰囲気下にあるので、先端部と後端部で差圧が生じる。そのため、永久磁石１７に磁気吸着されていた第２のブレード１２ｂが、永久磁石１７から容易に離れる。
【００７２】
第２のブレード１２ｂは、高圧の背圧を受けて先端部側へ押圧付勢される。回転軸５の回転にともない第２のローラ９ｂが偏心移動すると、第２のブレード１２ｂの先端部が第２のローラ９ｂ周面に当接したまま、ブレード溝１０ｂを往復移動する。第２のブレード１２ｂは第２のシリンダ室Ｓｂを圧縮室と吸込み室とに二分し、圧縮作用が行われる。  
したがって、第１のシリンダ室Ｓａと第２のシリンダ室Ｓｂにおいて同時に圧縮作用をなし、全能力運転が行われることとなる。
【００７３】
以上説明した能力半減運転時は、第２のブレード１２ｂ後端部が第２のブレード背室１１ｂに取付けられる永久磁石１７に保持部材１６を介して磁気吸着され、保持部材１６に密着状態にある。全能力運転時は、第２のブレード１２ｂ後端部が第２のブレード背室１１ｂを往復動し、保持部材１６とはわずかの間隙を存する位置まで移動してくる。
【００７４】
上述したように、背圧導入通路２０を構成する凹部ｈの外側開口角部ｈａは、休筒運転状態で位置する第２のブレード１２ｂ後端部の下端面角部ｂｂよりも外周側に位置するよう構成される。
【００７５】
したがって、第２のブレード１２ｂ後端部が永久磁石１７に磁気吸着され保持部材１６に密着しても、あるいは第２のブレード１２ｂ後端部が保持部材１６とはわずかの間隙を存する位置まで移動してきても、第２のブレード１２ｂ後端部の下端面角部ｂｂが、背圧導入通路２０を構成する凹部ｈの外側開口角部ｈａに接触することは無い。
【００７６】
さらに、第２のブレード１２ｂの円滑な往復動作を確保するため、第２のブレード１２ｂの高さ方向寸法に対してブレード溝１０ｂとブレード背室１１ｂが設けられる第２のシリンダ６Ｂの厚さ寸法がわずかに大に形成され、第２のブレード１２ｂとはクリアランスが確保されている。
【００７７】
しかるに、何らかの原因により第２のブレード１２ｂが傾いた状態で往復動するようなことがあっても、あるいは傾いたまま保持部材１６を介して永久磁石１７に磁気吸着されるようなことがあっても、第２のブレード１２ｂ後端部の下端面角部ｂｂと、背圧導入通路２０を構成する凹部ｈの外側開口角部ｈａとの当接は無い。  
したがって、騒音の発生が無く、静粛運転を維持できるとともに、第２のブレード１２ｂが傾いた状態のまま移動がロックされることの防止を図れて、圧縮信頼性の向上を得られる多気筒回転式圧縮機Ｍを提供できる。
【００７８】
また、上述したように第１のバッファ用凹部空間２１における開口部の一部である外側開口角部２１ａが、休筒運転状態で位置する第２のブレード１２ｂの上端面角部ｂｃよりも外周側に位置するよう構成される。  
したがって、第２のブレード１２ｂの後端部が保持部材１６に密着した状態で永久磁石１７に磁気吸着されても、第２のブレード１２ｂ後端部の上端面角部ｂｃと、第１のバッファ用凹部空間２１の外側開口角部２１ａとは、互いに間隙を存していて、接触することは無い。
【００７９】
何らかの原因により、第２のブレード１２ｂが傾いた状態で往復動するようなことがあっても、あるいは傾いたまま保持部材１６を介して永久磁石１７に磁気吸着されるようなことがあっても、互いの接触による騒音の発生を防止でき、第２のブレード１２ｂの移動がロックされることの防止を図れて、圧縮信頼性の向上を得られる。
【００８０】
なお、圧力制御用配管１９から閉塞部材１８の背圧導入通路２０を介して、高圧ガスもしくは低圧ガスが第２のブレード背室１１ｂに導かれる。ここでは、第２のブレード背室１１ｂの上部側である中間仕切り板２に、第２のブレード背室１１ｂと連通する第１のバッファ用凹部空間２１が設けられている。
【００８１】
さらに、背圧導入通路２０の上部側である閉塞部材１８と第２のシリンダ６Ｂに亘って、背圧導入通路２０と連通する第２のバッファ用凹部空間２２が設けられている。いずれのバッファ用凹部空間２１，２２にも、第２のブレード背室１１ｂに導かれる途中、もしくは導かれた後の高圧、低圧ガスが逃げ場の無い状態で溜まり、そのまま滞留する。
【００８２】
能力半減運転時に、圧力制御用配管１９と背圧導入通路２０に低圧のガス冷媒が導かれ、第２のブレード背室１１ｂに充満して第２のブレード１２ｂに低圧の背圧を付与する。一方、密閉ケース１内には圧縮された高圧ガスが充満し、高圧状態となっている。したがって、油溜り部１４に集溜する潤滑油も影響を受けて高圧となる。
【００８３】
上記回転軸５には、油溜り部１４の潤滑油を圧縮機構部３の各摺動部に導くための潤滑油供給路が設けられている。油溜り部１４の高圧の影響を受けた潤滑油は、潤滑油供給路ばかりでなく、クリアランスを介して背圧導入通路２０に浸入し、さらには第２のブレード背室１１ｂに浸入するとともに、圧力制御用配管１９内を上昇する可能性がある。
【００８４】
しかしながら、第１のバッファ用凹部空間２１および第２のバッファ用凹部空間２２には、既にガス冷媒が溜まっているので、浸入してきた潤滑油がこれら凹部２１，２２に溜まっているガス冷媒を全て追い出すことはない。  
結局、休筒運転状態を継続している間に、第２のブレード背室１１ｂと背圧導入通路２０および圧力制御用配管１９に非圧縮流体である潤滑油が充満しても、第１、第２のバッファ用凹部空間２１，２２にはガス冷媒が留まる。そして、この状態で全能力運転に切換る場合がある。
【００８５】
あるいは、外気が極く低温の条件下で全能力運転が開始される場合がある。このとき、高圧のガス冷媒が圧力切換え弁２７から圧力制御用配管１９と背圧導入通路２０を介して第２のブレード背室１１ｂに導かれる。  
しかるに、外気温度の上昇が無い状態で高圧のガス冷媒を供給し続けていると、ガス冷媒が凝縮して液冷媒に変ってしまう。すなわち、上述の潤滑油と同様の非圧縮流体となり、これが第２のブレード背室１１ｂと、背圧導入通路２０および圧力制御用配管１９に充満する可能性がある。
【００８６】
このように全能力運転時に、圧力制御用配管１９と背圧導入通路２０および第２のブレード背室１１ｂに非圧縮流体が充満する一方で、圧縮機構部３の作用にともなう発熱の影響で、非圧縮流体からガス分が蒸発する。
【００８７】
運転の継続とともに、第２のブレード背室１１ｂと背圧導入通路２０と圧力制御用配管１９に充満する非圧縮流体に存在するガス分がほとんど消失して、純然たる液体のみが残る。そのため、第２のブレード１２ｂの往復動作を、ガス分を含まない完全な液体状の非圧縮流体が直接受け、非圧縮流体の緩衝効果がほとんど無い状態となる。
【００８８】
特に高回転運転を行うと、第２のブレード１２ｂにおける往復動作に非圧縮流体の流動が追従できなくなる。第２のブレード１２ｂ後端部は過大な抵抗力を受けることになり、動作に円滑を欠く。背圧導入通路２０における非圧縮流体の圧力エネルギーの変動である圧力脈動が大きくなり、振動、騒音、配管の破裂などの問題が生じる虞れがある。
【００８９】
しかしながら、第２のブレード背室１１ｂに対して第１のバッファ用凹部空間２１が開口していて、ガス分が溜まっている。背圧導入通路２０に対しても第２のバッファ用凹部空間２２が開口していて、ここにもガス分が溜まっている。
【００９０】
これらバッファ用凹部空間２１，２２に溜まっているガス分によって、第２のブレード１２ｂの往復動に起因する圧力脈動を軽減するクッション効果が得られる。第２のブレード１２ｂの後端部に過大な力が働くことを防止でき、振動や騒音の低減と、配管破裂を防止し、信頼性の向上を図れる。
【００９１】
なお、第１のバッファ用凹部空間２１と第２のバッファ用凹部空間２２の内容積を、第２のブレード１２ｂが第２のシリンダ室Ｓｂ内に最も突出する下死点から第２のシリンダ室Ｓｂ内から最も後退する上死点まで移動するときの、押し退け量以上に設定することで、上述の効果をより大きなものとできる。
【００９２】
中間仕切り板２に第１のバッファ用凹部空間２１が設けられ、閉塞部材１８に背圧導入通路２０を構成する凹部ｈが設けられる構成でありながら、保持部材１６または永久磁石１７の少なくとも一部が、上記凹部ｈおよび第１のバッファ用凹部空間２１とは対向しないようにして設けた。
【００９３】
そのため、第２のブレード背室１１ｂにおいて上下方向にずれることなく確実に組み込むことができる。圧縮運転中も、永久磁石１７と保持部材１６が第２のブレード背室１１ｂから脱落することが無く、製造性と信頼性の高い多気筒回転式圧縮機Ｍが得られる。
【００９４】
このような多気筒回転式圧縮機Ｍを備えて冷凍サイクルを構成する冷凍サイクル装置（空気調和機）Ｒであるから、冷凍（空調）効果の大幅な向上を得られ、さらなる信頼性の向上に繋げられる。
【００９５】
なお、上述の圧縮機構部３では、アキュームレータ２５から吸込み側の冷媒管Ｐａを介して導かれたガス冷媒を、中間仕切り板２内で分岐して第１のシリンダ室Ｓａと第２のシリンダ室Ｓｂに導く構成としたが、これに限定されるものではない。  
たとえば、アキュームレータ２５から２本の吸込み冷媒管を延出して、第１のシリンダ室Ｓａと、第２のシリンダ室Ｓｂとのそれぞれに、直接、連通するように構成したものであっても良い。
【００９６】
さらに、第２のシリンダ室Ｓｂを休筒運転状態とする構成にしたが、第１のシリンダ室Ｓａを休筒運転状態にする構成に変えてもよい。また、第１のシリンダ室Ｓａと、第２のシリンダ室Ｓｂの排除容積が異なる場合においても、同等の作用効果が得られることは勿論である。
【００９７】
副軸受７Ｂの外周端に沿って背圧導入通路２０を備えた閉塞部材１８を設けたが、副軸受７Ｂのフランジ部を拡大し、第２のブレード背室１１ｂを閉塞するとともに、ここに直接、背圧導入通路２０を設けて、上記閉塞部材１８を不要とする構成であっても良い。したがって、背圧導入通路２０が設けられる部位を、「軸受側部材」と呼んだ。
【００９８】
また、中間仕切り板２に第２のブレード背室１１ｂに開口する第１のバッファ用凹部空間２１を設け、軸受側部材である閉塞部材１８に背圧導入通路２０に開口する第２のバッファ用凹部空間２２を設けたが、これに限定されるものではなく、第１のバッファ用凹部空間２１および第２のバッファ用凹部空間２２のいずれか一方のみを設けても良い。
【００９９】
本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【０１００】
１…密閉ケース、５…回転軸、４…電動機部、３…圧縮機構部、Ｍ…多気筒回転式圧縮機、２…中間仕切り板、Ｓａ…第１のシリンダ室、Ｓｂ…第２のシリンダ室、１０ａ、１０ｂ…ブレード溝、１１ａ…第１のブレード背室、１１ｂ…第２のブレード背室、６Ａ…第１のシリンダ、６Ｂ…第２のシリンダ、７Ａ…主軸受、７Ｂ…副軸受、１８…閉塞部材、５ａ…第１の偏心部、５ｂ…第２の偏心部、９ａ…第１のローラ、９ｂ…第２のローラ、１２ａ…第１のブレード、１２ｂ…第２のブレード、２０…背圧導入通路、Ｋ…ブレード背圧制御機構（圧力切換え手段）、ｈａ…（背圧導入通路の第２のブレード背室に対する）外側開口角部、ｂｂ…（第２のブレード後端部の）下端面角部、１８…閉塞部材（軸受側部材）、２１…第１のバッファ用凹部空間、２１ａ…（第１のバッファ用凹部空間の第２のブレード背室に対する）外側開口角部、ｂｃ…（第２のブレード後端部の）上端面角部、２２…第２のバッファ用凹部空間、１７…永久磁石、１６…保持部材、５１…室外熱交換器、５２…膨張装置、５３…室内熱交換器。
【図１】
0005703013.tif 000002
【図２】
0005703013.tif 000003
【図３】
0005703013.tif 000004
【図４】
0005703013.tif 000005
【図５】
0005703013.tif 000006